(57)【要約】      （修正有）【課題】ケージへの取り付け、取り外しが簡便な、着脱可能ペット用食器を提供する。【解決手段】着脱可能ペット用食器は、クリック部１１を備えた容器１、容器をカチッと固定する可動式のクリックパーツ２２、クリックパーツを利用してクリック部に容器の固定と取り外しが可能なクリックユニット２、及び、クリックユニットと連結されて容器をケージに固定する固定ユニット３によって構成されている。クリックパーツにより、容器をクリックユニットから取り外して洗ったり、ペットフードを追加したりでき、しかも、固定ユニットとクリックユニットは、ケージの内外でねじが噛み合い固定された状態なので、ユーザーはクリックパーツを用いて容器を素早くケージＡのフレーム上に再び固定することができる。【選択図】図５Ｂ
0003211986.tif 000002
【実用新案登録請求の範囲】
【請求項１】
クリック部を備えた容器、
容器を固定するクリックパーツを備えたクリックユニットであって、可動式の前記クリックパーツを利用して前記クリック部に固定することで、容器が固定されてかつ取り外しも可能とするクリックユニット、
及び、前記クリックユニットと連結されて、前記容器をケージに固定する固定ユニット、
によって構成されていることを特徴とする、ケージに取り付けて取り外しも可能な着脱可能ペット用食器。
【請求項２】
前記容器にはさらに、凸部が設けられ、前記クリック部が前記凸部の上部に設けられており、前記クリックユニットは凹部を備え、前記凸部に対応する前記凹部が前記凸部と一体化されることを特徴とする、請求項１に記載の着脱可能ペット用食器。
【請求項３】
前記クリックパーツの一端のジョイントが前記クリックユニットに入って留まるとき、前記クリックパーツのもう一方の端にあるクリック爪を前記クリック部に入れて固定すると、前記容器が前記クリックユニットに固定され、
開放するとき、前記クリックパーツを前記クリックユニットの方に向けて、前記容器から離れる方向に前記ジョイントを中心に押し倒すと、前記クリック爪が前記クリック部から離れ、前記凸部を前記凹部から抜き取ることができることを特徴とする請求項２に記載の着脱可能ペット用食器。
【請求項４】
両端が前記クリックパーツ及び前記クリックユニットに接している弾性ユニットを含み、前記クリックユニットには位置決め部が設けられ、可動式の前記クリックパーツが前記位置決め部に設けられており、
留めるときは、前記弾性ユニットが前記クリックパーツを支えつつ、前記クリックパーツの一端の前記クリック爪を前記クリック部にはめて固定し、
開放するときは、前記クリックパーツに対し、前記クリックパーツが前記位置決め部に沿って前記容器から離れる方向に外力を加えると、前記クリックパーツが前記弾性ユニットを圧縮して、前記クリック爪が前記クリック部から離れることを特徴とする請求項１に記載の着脱可能ペット用食器。
【請求項５】
前記位置決め部には二つの軌道があり、当該軌道は前記クリックパーツの両サイドに対応しており、前記クリックパーツは前記弾性ユニットの働きにより、前記軌道に沿って限定移動することを特徴とする請求項４に記載の着脱可能ペット用食器。
【請求項６】
前記容器には、さらに、へこんだ適合部を有する凸部があり、前記適合部によって適合空間が形成されており、前記適合部には前記適合空間の一部を形成する差込口があり、一方の前記クリックユニットには前記適合部に対応する適合部品が設けられていることを特徴とする請求項５に記載の着脱可能ペット用食器。
【請求項７】
前記適合部品の外周には溝があり、前記適合部の端には、前記溝に対応する凸エッジがあることを特徴とする請求項６に記載の着脱可能ペット用食器。
【請求項８】
固定するときは、前記適合部品を前記差込口を通して前記適合空間にはめ込んで前記適合部が前記適合部品と一体化されると、前記クリックパーツが前記凸エッジを押さえつけ、前記凸エッジは前記溝に固定されて、前記容器が前記クリックユニットに固定され、
開放するときは、前記クリックパーツを前記凸エッジから引き離し、前記差込口を前記適合部品から分離するように抜き取ると、前記凸エッジが前記溝を離れて、前記容器を前記クリックユニットから取り出すことができることを特徴とする請求項７に記載の着脱可能ペット用食器。
【請求項９】
前記固定ユニットの一方の側にはねじ棒があり、前記クリックユニットには前記ねじ棒に対応するねじ穴があって、前記ねじ穴と前記ねじ棒は相互に噛み合うことから、前記固定ユニットは、取外し可能な形で前記クリックユニットに固定され、両者が結合されて前記ケージを挟み込む形となることを特徴とする請求項１に記載の着脱可能ペット用食器。
【請求項１０】
前記クリックユニットには、前記ケージに接する波上の固定面があることを特徴とする請求項１に記載の着脱可能ペット用食器。
【請求項１１】
前記固定ユニットのもう一方の側にはつまみがあり、当該つまみを用いて前記固定ユニットを回転させて、前記クリックユニットとの着脱を行うことを特徴とする請求項９に記載の着脱可能ペット用食器。
【考案の詳細な説明】
【技術分野】
【０００１】
本考案は、着脱可能ペット用食器、特にクリックパーツ（ｃｌｉｃｋ  ｐａｒｔｓ）により容器をクリックユニット（ｃｌｉｃｋ  ｕｎｉｔ）から取り外して洗ったり、ペットフードを追加したりできるようにするための考案である。
【背景技術】
【０００２】
特許文献１（台湾実用新案登録公報第Ｍ３４６２７８号、発明の名称「吸盤式ペット用具」）によると、スタッドの一端にペット用具が設けられ、もう一方の端が、吸着パーツとなる吸着物質の表面に固定される。このペット用具は、餌用の容器とすることができる。
【先行技術文献】
【特許文献】
【０００３】
【特許文献１】台湾実用新案登録公報第Ｍ３４６２７８号
【考案の概要】
【考案が解決しようとする課題】
【０００４】
前記の考案もまたペットケージに取り付けられる餌用の容器だが、容器が固定パーツとねじ締め固定される方式なので、ユーザーが容器を取り外して洗ったり、ペットフードを追加するとき、容器を固定パーツから、ねじを緩めて取り外す必要があり、着脱に手間と時間がかかる。
【課題を解決するための手段】
【０００５】
前記の欠点を改善するため、本考案は、クリック部（爪受け部）を備えた容器、及び容器をカチッと固定するクリックパーツ（爪付き部材）を備えたクリックユニットであって、当該可動式のクリックパーツを利用して前記クリック部にカチッと固定（嵌合、係止）することで、容器がクリックユニット（爪付き器具）にカチッと固定される、取り外しも可能とするクリックユニット、及びクリックユニットと連結されて容器をケージに固定する固定ユニット、によって構成されているケージに取り付けて取り外しも可能な着脱可能ペット用食器を提案する。
【０００６】
さらに、容器には凸部が設けられており、クリック部は凸部の上部に設けられ、クリックユニットは凹部を備え、凸部に対応する凹部が凸部と一体化されて、クリックユニットを取外し可能とする。
【０００７】
また、クリックパーツの一端のジョイント部がクリックユニットに入り、カチッと留めるときは、クリックパーツのもう一方の端にあるクリック爪をクリック部に入れてカチッと固定すると、容器がクリックユニットに固定される。開放するときは、クリックパーツをクリックユニットの方に向けて、容器から離れる方向にジョイント中心に押し倒すと、クリック爪がクリック部から離れ、凸部を凹部から抜き取ることができる。
【０００８】
さらに、両端がクリックパーツ及びクリックユニットに接している弾性ユニットを含み、クリックユニットには位置決め部が設けられ、可動式のクリックパーツが位置決め部に設けられている。カチッと留めるときは、弾性ユニットがクリックパーツを支えつつ、クリックパーツの一端のクリック爪をクリック部にはめてカチッと固定する。開放するときは、クリックパーツに対し、クリックパーツが位置決め部に沿って容器から離れる方向に外力を加えると、クリックパーツが弾性ユニットを圧縮して、クリック爪がクリック部から離れる。
【０００９】
また、位置決め部には二つの軌道があり、この軌道はクリックパーツの両サイドに対応しており、クリックパーツは弾性ユニットの働きにより、この軌道に沿って限定移動する。
【００１０】
さらに、容器には、へこんだ適合部（合わさり部、受容部）をもつ凸部があり、適合部によって適合空間（合わさり空間、係止用の空間）が形成されており、適合部には、適合空間の一部を形成する差込口がある。一方のクリックユニットには、当該適合部に対応する適合部品（合わさりパーツ、係止部品）が設けられている。
【００１１】
また、適合部品の外周には溝があり、適合部の端には、当該溝に対応する凸エッジ（突き出している端部）がある。
【００１２】
また、カチッと固定するときは、適合部品を差込口を通して適合空間にはめ込んで、適合部が適合部品と一体化されると、クリックパーツが凸エッジを押さえつける形となり、凸エッジは当該溝に固定されて、容器がクリックユニットに固定される。開放するときは、クリックパーツを凸エッジから引き離し、差込口を適合部品から分離するように抜き取ると、凸エッジが当該溝を離れて、容器をクリックユニットから取り出すことができる。
【００１３】
また、固定ユニットの一方の側にはねじ棒があり、クリックユニットにはこれに対応するねじ穴があって、このねじ穴とねじ棒は相互に噛み合うことから、固定ユニットは、取外し可能な形でクリックユニットに固定され、両者が結合されてケージを挟み込む形となる。
【００１４】
また、クリックユニットには、ケージに接する波上の固定面がある。
【００１５】
また、固定ユニットのもう一方の側にはつまみがあり、つまみを用いて固定ユニットを回転させて、クリックユニットとの着脱を行う。
【考案の効果】
【００１６】
上述の技術の特徴として、以下の効果が得られる。
【００１７】
１．クリックユニットの働きにより、容器をクリックユニットから素早く取り外して洗ったり、ペットフードを追加したりでき、しかもこのときには、固定ユニットはクリックユニットとケージの内外でねじが噛み合い固定された状態なので、ユーザーは容器を素早くクリックユニットと結合させることができるとともに、クリックパーツを用いてカチッと固定するだけで、容器をケージのフレーム上に再び固定することができる。
【００１８】
２．適合部品を差込口を通して適合空間にはめ込んで、適合部が適合部品と一体化されると、凸エッジが溝に固定されて、容器がクリックユニットにしっかりと固定される。
【００１９】
３．カチッと留めるときは、弾性ユニットがクリックパーツを支えつつ、クリックパーツの一端をクリック部にはめてカチッと固定すると、クリックパーツが凸エッジを押さえつけて、容器がクリックユニットに固定されるので、容器が衝撃や強い揺れを受けて脱落することを防止できる。
【図面の簡単な説明】
【００２０】
【図１】図１は、本考案実施例の分解図である。
【図２】図２は、本考案実施例において容器がクリックユニットに固定された図である。
【図３】図３は、本考案実施例におけるクリックユニットと固定ユニットのねじが噛み合う固定状態の図である。
【図４】図４は、本考案実施例の見取図（上面から見た模式図）である。
【図５Ａ】図５Ａは、本考案実施例の断面図である。
【図５Ｂ】図５Ｂは、本考案実施例において、クリックパーツを起こしてクリック部から開放して容器を取り外すときの断面図である。
【図５Ｃ】図５Ｃは、本考案実施例において壁面にねじ固定するときの第一段階の図である。
【図５Ｄ】図５Ｄは、本考案実施例において壁面にねじ固定するときの第二段階の図である。
【図６】図６は、本考案の第２の実施例の分解図である。
【図７】図７は、本考案の第２の実施例において、容器がクリックユニットに固定された状態を示す斜視図である。
【図８】図８は、本考案の第２の実施例の見取図（上面から見た模式図）である。
【図９Ａ】図９Ａは、本考案の第２の実施例の分解図（縦断面図）である。
【図９Ｂ】図９Ｂは、本考案の第２の実施例において、クリックパーツに対し外力を加えて弾性ユニットを圧縮してクリック部から離脱させることで容器を取り外した状態を示す断面図である。
【考案を実施するための形態】
【００２１】
上述の技術的な特徴を踏まえて、本考案である着脱可能ペット用食器の主な効果を、以下の実施例に沿って詳細に説明する。
【００２２】
図１、図２に示した本考案の望ましい実施例としての着脱可能ペット用食器は、以下の部分によって構成されている。
【００２３】
クリック部（１１）及び凸部（１２）を有し、クリック部（１１）が凸部（１２）上に設けられている容器（１）。
【００２４】
一端に、当該凸部（１２）に対応し、二つの穴（２’）を有する凹部（２１）が設けられており、後部にクリックユニット（２）に入るジョイント（２２１）を有し手前に可動式でクリック部（１１）にカチッと固定されるクリック爪（２２２）を有するクリックパーツ（２２）を備えている、クリックユニット（２）。続いて図３を参照すると、クリックユニット（２）のもう一方の端には、波状の固定面（２３）、及びねじ穴（２４）が設けられている。
【００２５】
固定ユニット（３）は、クリックユニット（２）と連結されるため、一方の端には、ねじ穴（２４）と噛み合うねじ山を持ったねじ棒（３１）が設けられ、もう一方の端にはつまみ（３２）が設けられている。
【００２６】
図３、図４を参照しつつ話を進める。固定面（２３）は、ケージ（Ａ）に接したとき、固定面（２３）の波状構造によりケージ（Ａ）のフレームに密着する構造であり、つまみ（３２）を用いて固定ユニット（３）を回転させる。上述の穴（２’）は固定面（２３）及び当該ねじ穴（２４）の両サイドを貫通している（図３参照）。図５Ａに示すように、固定ユニット（３）のねじ棒（３１）を、クリックユニット（２）のねじ穴（２４）に噛み合わさせて固定するとともに、クリックユニット（２）の凹部（２１）を、容器（１）の凸部（１２）にはめ込んでから、クリックユニット（２）においてクリックパーツ（２２）押して、クリックパーツ（２２）のもう一方の端にあるクリック部（１１）にカチッと固定して、容器（１）を取外し可能な形でクリックユニット（２）にカチッと固定することで、容器（１）をケージ（Ａ）に固定する。
【００２７】
図５Ａ、図５Ｂを参照しつつ話を進める。ユーザーが容器（１）を取り外して洗ったり、ペットフードを追加したいときは、クリックパーツ（２２）を、クリックユニット（２）から見て容器（１）から遠い方向に押し倒し（図５Ｂのように、クリックパーツ（２２）のジョイント（２２１）を中心に回す）、クリックパーツ（２２）の一端のクリック爪（２２２）をクリック部（１１）から離脱させると、容器（１）の凸部（１２）を、クリックユニット（２）の凹部（２１）から水平に抜き取って取り外すことができる。ここで注意すべきは、固定ユニット（３）は、フレームを隔ててケージ（Ａ）の内外でクリックユニット（２）とねじが噛み合い結合された状態が維持されていることであり、ユーザーは容器（１）を洗ってから、または餌を追加してから、容器（１）の凸部（１２）をクリックユニット（２）の凹部（２１）に挿入し、クリックパーツ（２２）を押すだけで、容器（１）をケージ（Ａ）のフレームに再び固定して戻すことができる。
【００２８】
図５Ｃ、図５Ｄを参照しつつ話を進める。本考案はケージ（Ａ）への固定に限るものではなく、二つのねじ（Ｂ）を前述の穴（２’）にいれて締め付けることで、クリックユニット（２）を壁面（Ｃ）に固定することもできる。
【００２９】
本考案第２の実施例である図６、図７を参照しつつ話を進める。第２の実施例においては、容器（１Ａ）には、へこんだ適合部（１２１Ａ）をもつ凸部（１２Ａ）があり、適合部（１２１Ａ）によって適合空間（１２２Ａ）が形成されており、適合部（１２１Ａ）には、適合空間（１２２Ａ）の一部を形成する差込口（１２１１Ａ）があり、適合部（１２１Ａ）の端には凸エッジ（１２１２Ａ）があり、凸エッジ（１２１２Ａ）の上には、クリックパーツ（２２Ａ）に対応するクリック部（１１Ａ）がある。一方のクリックユニット（２Ａ）には、当該適合空間（１２２Ａ）に対応する適合部品（２１Ａ）が設けられ、適合部品（２１Ａ）の外周には凸エッジ（１２１２Ａ）に対応する溝（２１１Ａ）があり、適合部品（２１Ａ）の両サイドには上述の穴（２Ａ’）があり、本実施例のクリックユニット（２Ａ）もまた、第１の実施例の図５Ａに示すように、ねじ（Ｂ）で壁面（Ｃ）に固定できる。適合部品（２１Ａ）を差込口（１２１１Ａ）を通して適合空間（１２２Ａ）にはめ込んで、適合部（１２１Ａ）が適合部品（２１Ａ）と一体化されると、凸エッジ（１２１２Ａ）は当該溝（２１１Ａ）に固定されて、容器（１Ａ）がクリックユニット（２Ａ）に固定され、緩みや脱落を防止できる。
【００３０】
図６、図９Ａを参照しつつ話を進める。弾性ユニット（４）は、両端がそれぞれクリックパーツ（２２Ａ）及びクリックユニット（２Ａ）に接しており、クリックユニット（２Ａ）には位置決め部（２５Ａ）が設けられ、位置決め部（２５Ａ）には互いに対応する二つの軌道（２５２Ａ）及び二つの位置決め溝（２５２Ａ）があり、クリックパーツ（２２Ａ）の両サイドにはスライドブロック（２２１Ａ）及び位置決めパーツ（２２２Ａ）があり、クリックパーツ（２２Ａ）がクリック部（１１Ａ）に対応する一端にはクリック爪（２２３Ａ）がある。クリック爪（２２３Ａ）で、当該クリック部（１１Ａ）にカチッと留めて固定するとき、スライドブロック（２２１Ａ）がスライドして軌道（２５１Ａ）と合わさり、位置決めパーツ（２２２Ａ）が位置決め溝（２５２Ａ）と合わさって、クリックパーツ（２２Ａ）は弾性ユニット（４）の働きで位置決め部（２５Ａ）の中を限定移動する。
【００３１】
図８、図９Ａを参照しつつ話を進める。カチッと留めるときは、弾性ユニット（４）がクリックパーツ（２２Ａ）を支えつつ、クリックパーツ（２２Ａ）の一端のクリック爪（２２３Ａ）を、容器（１Ａ）のクリック部（１１Ａ）にはめてカチッと固定すると、クリックパーツ（２２Ａ）が凸エッジ（１２１２Ａ）を押さえつけて、容器（１Ａ）がクリックユニット（２Ａ）に固定され、容器（１Ａ）が衝撃や強い揺れを受けて脱落することを防止できる。
【００３２】
図９Ａ、図９Ｂを参照しつつ話を進める。同様にして、容器（１Ａ）を取り外して洗ったり、餌を補充するときは、クリックパーツ（２２Ａ）に対し、クリックパーツ（２２Ａ）が位置決め部（２５Ａ）に沿って容器（１Ａ）から離れる方向に外力を加えると、クリックパーツ（２２Ａ）が弾性ユニット（４）を圧縮して、クリック爪（２２３Ａ）がクリック部（１１Ａ）から離れる。このとき、容器（１Ａ）の凸エッジ（２１１Ａ）はクリックパーツ（２２Ａ）の拘束を受けなくなり、ユーザーは容器（１Ａ）を持ち上げて適合部品（２１Ａ）の溝（２１１Ａ）から外し、容器（１Ａ）をクリックユニット（２Ａ）から素早く取外しできる。
【００３３】
以上の実施例の詳細説明により、本考案の操作、使用方法、及び本考案によりもたらされる効用を十分に理解できると思われるが、以上の詳細説明は本考案における望ましい実施例の具体的説明にとどまり、これをもって本考案の登録請求範囲が限定されるべきではなく、本考案の請求範囲及び説明の趣旨に従って同等の効果を得るための単純な変化や修飾を加えた場合は、いずれも本考案の登録請求範囲内とする。
【符号の説明】
【００３４】
１          容器
１１        クリック部（爪受け部）
１２        凸部
２          クリックユニット（爪付き器具）
２’        穴
２１        凹部
２２        クリックパーツ（爪部材）
２２１      ジョイント
２２２      クリック爪
２３        固定面
２４        ねじ穴
３          固定ユニット
３１        ねじ棒
３２        つまみ
４          弾性ユニット
Ａ          ケージ
１Ａ        容器
１１Ａ      クリック部（爪受け部）
１２１Ａ    適合部（受容部）
１２１１Ａ  差込口
１２１２Ａ  凸エッジ（付き出している端部）
１２２Ａ    適合空間
２Ａ        クリックユニット（爪付き器具）
２Ａ’      穴
２１Ａ      適合部品
２１１Ａ    溝
２２Ａ      クリックパーツ（爪部材）
２２１Ａ    スライドブロック
２２２Ａ    位置決めパーツ
２２３Ａ    クリック爪
２５Ａ      位置決め部
２５１Ａ    軌道
２５２Ａ    位置決め溝
Ｂ          ねじ
Ｃ          壁面
【図１】
0003211986.tif 000003
【図２】
0003211986.tif 000004
【図３】
0003211986.tif 000005
【図４】
0003211986.tif 000006
【図５Ａ】
0003211986.tif 000007
【図５Ｂ】
0003211986.tif 000008
【図５Ｃ】
0003211986.tif 000009
【図５Ｄ】
0003211986.tif 000010
【図６】
0003211986.tif 000011
【図７】
0003211986.tif 000012
【図８】
0003211986.tif 000013
【図９Ａ】
0003211986.tif 000014
【図９Ｂ】
0003211986.tif 000015
【手続補正書】
【提出日】平成29年6月15日(2017.6.15)
【手続補正１】
【補正対象書類名】実用新案登録請求の範囲
【補正対象項目名】請求項４
【補正方法】変更
【補正の内容】
【請求項４】
両端が前記クリックパーツ及び前記クリックユニットに接している弾性ユニットを含み、前記クリックユニットには位置決め部が設けられ、可動式の前記クリックパーツが前記位置決め部に設けられており、
留めるときは、前記弾性ユニットが前記クリックパーツを支えつつ、前記クリックパーツの一端のクリック爪を前記クリック部にはめて固定し、
開放するときは、前記クリックパーツに対し、前記クリックパーツが前記位置決め部に沿って前記容器から離れる方向に外力を加えると、前記クリックパーツが前記弾性ユニットを圧縮して、前記クリック爪が前記クリック部から離れることを特徴とする請求項１に記載の着脱可能ペット用食器。